(57)【要約】【課題】効率の良い運転が行える貯湯式給湯装置を熱源とした融雪、暖房システムを提供する。【解決手段】給水管９が下端部に接続されていると共に、貯湯している湯水を流出させる出湯管８が上端部に接続されている貯湯タンク２と、この貯湯タンク２内の湯水を高温に加熱する加熱手段３と、前記貯湯タンク２内の湯水を一次ポンプ２０の駆動で湯−熱媒熱交換器１９に流通させる一次循環回路２１と、前記湯−熱媒熱交換器１９で熱交換されて温度上昇した熱媒を、暖房或いは融雪パネル６に循環させる二次ポンプ２２を有する二次循環回路２３とで構成したもので、前記二次循環回路２３の往き温度を検知する往き温度センサ２５を備え、この往き温度センサ２５の検知温度が所定温度になるように、一次ポンプ２０の回転数を制御するポンプ制御回路３７を備えたので、無駄がなく効率の良い貯湯式給湯装置を熱源とした融雪、暖房システムを提供出来る。【選択図】  図１
2004340399.tif 000002
【特許請求の範囲】
【請求項１】
加熱手段で湯水を高温に加熱し貯湯する貯湯タンクと、この貯湯タンク内の湯水を一次ポンプの駆動で湯−熱媒熱交換器に流通させる一次循環回路と、前記湯−熱媒熱交換器で熱交換されて温度上昇した熱媒を、暖房或いは融雪パネルに循環させる二次ポンプを有する二次循環回路とで構成したものに於いて、前記二次循環回路の往き温度を検知する往き温度センサを備え、この往き温度センサの検知温度が所定温度になるように、一次ポンプの回転数を制御するポンプ制御回路を備えた事を特徴とする貯湯式給湯装置を熱源とした融雪、暖房システム。
【請求項２】
加熱手段で湯水を高温に加熱し貯湯する貯湯タンクと、この貯湯タンク内の湯水を一次ポンプの駆動で湯−熱媒熱交換器に流通させる一次循環回路と、前記湯−熱媒熱交換器で熱交換されて温度上昇した熱媒を、暖房或いは融雪パネルに循環させる二次ポンプを有する二次循環回路とで構成したものに於いて、前記二次循環回路の戻り温度を検知する戻り温度センサを備え、この戻り温度センサの検知温度が所定温度になるように、二次ポンプの回転数を制御するポンプ制御回路を備えた事を特徴とする貯湯式給湯装置を熱源とした融雪、暖房システム。
【請求項３】
前記加熱手段を二酸化炭素冷媒を用いたヒートポンプ回路として超臨界ヒートポンプサイクルを構成すると共に、前記貯湯タンクと前記ヒートポンプ回路とをヒーポン循環回路にて湯水が循環可能に接続し、前記貯湯タンク下部からの湯水を前記ヒートポンプ回路で加熱して前記貯湯タンク上部へ戻すよう構成したことを特徴とする請求項１及び２記載の貯湯式給湯装置を熱源とした融雪、暖房システム。
【請求項４】
ヒートポンプユニットで湯水を高温に加熱し貯湯する貯湯タンクと、この貯湯タンク内の湯水を一次ポンプの駆動で湯−熱媒熱交換器に流通させる一次循環回路と、前記湯−熱媒熱交換器で熱交換されて温度上昇した熱媒を、融雪パネルに循環させる二次ポンプを有する二次循環回路とで構成したものに於いて、前記ヒートポンプユニットの電力契約を深夜電力或いは時間帯別電力契約した場合には、夜間の融雪運転はヒートポンプユニットを駆動させながらの融雪とし、昼間の融雪を貯湯タンク内の湯水のみで、ヒートポンプユニットは駆動せさないままでの融雪とした事を特徴とする貯湯式給湯装置を熱源とした融雪システム。
【請求項５】
ヒートポンプユニットで湯水を高温に加熱し貯湯する貯湯タンクと、この貯湯タンク内の湯水を一次ポンプの駆動で湯−熱媒熱交換器に流通させる一次循環回路と、前記湯−熱媒熱交換器で熱交換されて温度上昇した熱媒を、融雪パネルに循環させる二次ポンプを有する二次循環回路とで構成したものに於いて、前記ヒートポンプユニットの電力契約を融雪電力契約した場合には、電力供給時間帯はヒートポンプユニットを駆動させながらの融雪とし、電力非供給時間帯は貯湯タンク内の湯水のみで、ヒートポンプユニットは駆動せさないままでの融雪とした事を特徴とする貯湯式給湯装置を熱源とした融雪システム。
【発明の詳細な説明】
【０００１】
【発明の属する技術分野】
この発明は貯湯タンク内の湯水を利用した貯湯式給湯装置を熱源とした融雪、暖房システムに関するものである。
【０００２】
【従来の技術】
従来よりこの種のものにおいては、図９に示すようなものがあった。
ここで、１０１はヒートポンプ回路、１０２は貯湯タンクで、この貯湯タンク１０２下部から取り出した５〜２５℃程度の低温水をヒートポンプ回路１０１で７０〜９０℃程度に加熱して貯湯タンク１０２の上部から積層貯湯していくものである。
【０００３】
前記貯湯タンク１０２には、その下端に給水管１０３が接続され、また上端には出湯管１０４が接続されているものである。１０５は電動ミキシング弁で、出湯管１０４からの高温水と給水管１０３からの低温水をリモコン（図示せず）等で設定された任意の給湯設定温度に混合して給湯栓１０６から出湯するものである。
【０００４】
１０７は暖房あるいは風呂の追焚き／保温の熱源としての熱交換器で、出湯管１０４から分岐した熱交往き管１０８および給水管１０３に合流する熱交戻り管１０９により貯湯タンク１０２と循環可能に接続されており、貯湯タンク１０２内の高温水を熱交換器１０７に流入させて暖房回路或いは融雪回路等の２次側回路（図示せず）の温水を加熱するものである。
【０００５】
そして、貯湯タンク１０２の上部から取り出された高温水は、前記熱交換器１０７で熱交換されて温度低下し、貯湯タンク１０２の下部から貯湯タンク１０２内に戻るものである。
【０００６】
なお、このような従来の貯湯式給湯装置にかかる公知の刊行物を本願出願人は発見することができないが、貯湯タンク内に貯湯された高温水を熱源として暖房を行うものとして例えば特許文献１が挙げられる。
【０００７】
【特許文献１】
特許２６６３６３７号
【０００８】
【発明が解決しようとする課題】
ところでこの従来のものでは、熱交換器１０７での熱交換により貯湯タンク１０２に貯湯された高温水が多量に使用され、直ぐに湯切れ状態となってヒートポンプ回路１０１を常に追加運転しなければならず、極めて効率が悪く、無駄な電力も使用し不経済であると言う問題点を有するものであった。
【０００９】
【課題を解決するための手段】
そこで、この発明はこれらの課題を解決するために、請求項１では、加熱手段で湯水を高温に加熱し貯湯する貯湯タンクと、この貯湯タンク内の湯水を一次ポンプの駆動で湯−熱媒熱交換器に流通させる一次循環回路と、前記湯−熱媒熱交換器で熱交換されて温度上昇した熱媒を、暖房或いは融雪パネルに循環させる二次ポンプを有する二次循環回路とで構成したものに於いて、前記二次循環回路の往き温度を検知する往き温度センサを備え、この往き温度センサの検知温度が所定温度になるように、一次ポンプの回転数を制御するポンプ制御回路を備えたものである。
【００１０】
又請求項２によれば、加熱手段で湯水を高温に加熱し貯湯する貯湯タンクと、この貯湯タンク内の湯水を一次ポンプの駆動で湯−熱媒熱交換器に流通させる一次循環回路と、前記湯−熱媒熱交換器で熱交換されて温度上昇した熱媒を、暖房或いは融雪パネルに循環させる二次ポンプを有する二次循環回路とで構成したものに於いて、前記二次循環回路の戻り温度を検知する戻り温度センサを備え、この戻り温度センサの検知温度が所定温度になるように、二次ポンプの回転数を制御するポンプ制御回路を備えたものである。
【００１１】
この請求項１及び２により、必要熱量以上の高温水の使用が制限され、無駄がなくなり効率の良い暖房或いは融雪を行うことが出来、加熱手段であるヒートポンプ回路の運転を極力抑えて、電力の消費が少なく経済的な暖房或いは融雪システムを提案出来るものである。
更に一次ポンプの回転数を直接制御することで、熱源側の高温水の流通量が少なく放熱ロスが極力抑えられて、熱源側の温度降下が更に抑えられるものである。
一方二次ポンプの回転数を直接制御することで、放熱側の管理が確実に行え、過不足のない放熱で、効率の良い暖房及び融雪が常に行えるものである。
【００１２】
又請求項３では、前記加熱手段を二酸化炭素冷媒を用いたヒートポンプ回路として超臨界ヒートポンプサイクルを構成すると共に、前記貯湯タンクと前記ヒートポンプ回路とをヒーポン循環回路にて湯水が循環可能に接続し、前記貯湯タンク下部からの湯水を前記ヒートポンプ回路で加熱して前記貯湯タンク上部へ戻すよう構成したものとした。
【００１３】
これにより、上部の高温水から給湯されて、貯湯タンク下部には給水管からの低温水が貯められることとなるので、必ず低温水から沸き上げることができ、沸き上げの効率が向上しヒートポンプ回路のＣＯＰ（エネルギー消費効率）が良くなるものであると共に、ヒートポンプ回路によって高効率に高温まで沸き上げることが出来る。
【００１４】
又請求項４では、ヒートポンプユニットで湯水を高温に加熱し貯湯する貯湯タンクと、この貯湯タンク内の湯水を一次ポンプの駆動で湯−熱媒熱交換器に流通させる一次循環回路と、前記湯−熱媒熱交換器で熱交換されて温度上昇した熱媒を、融雪パネルに循環させる二次ポンプを有する二次循環回路とで構成したものに於いて、前記ヒートポンプユニットの電力契約を深夜電力或いは時間帯別電力契約した場合には、夜間の融雪運転はヒートポンプユニットを駆動させながらの融雪とし、昼間の融雪を貯湯タンク内の湯水のみで、ヒートポンプユニットは駆動せさないままでの融雪としたものである。
【００１５】
これにより、電力料が安価な夜間はヒートポンプユニットを駆動させながら融雪し、又電力料が高い昼間は貯湯タンク内の湯水のみで融雪することで、極めて経済的な運転が出来と共に、安価な電力の有効利用がなされるものである。
【００１６】
又請求項５では、ヒートポンプユニットで湯水を高温に加熱し貯湯する貯湯タンクと、この貯湯タンク内の湯水を一次ポンプの駆動で湯−熱媒熱交換器に流通させる一次循環回路と、前記湯−熱媒熱交換器で熱交換されて温度上昇した熱媒を、融雪パネルに循環させる二次ポンプを有する二次循環回路とで構成したものに於いて、前記ヒートポンプユニットの電力契約を融雪電力契約した場合には、電力供給時間帯はヒートポンプユニットを駆動させながらの融雪とし、電力非供給時間帯は貯湯タンク内の湯水のみで、ヒートポンプユニットは駆動せさないままでの融雪としたものである。
【００１７】
これにより、電力料が安価な融雪電力契約の電力供給時間帯は２００Ｖ電源でヒートポンプユニットを駆動させながら融雪し、電力非供給時間帯は１００Ｖ電源で貯湯タンク内の湯水のみで融雪することで、特別に用意されている融雪電力契約を積極的に利用して、効率が良く経済的な融雪運転が行えるものである。
【００１８】
【発明の実施の形態】
次にこの発明の一実施形態の貯湯式給湯装置を熱源とした融雪、暖房システムを図面に基づき説明する。
この貯湯式給湯装置は、時間帯別契約電力の電力単価が安価な深夜時間帯に湯水を沸き上げて貯湯し、この貯湯した湯水を給湯及び融雪或いは暖房に用いるもので、１は湯水を貯湯する貯湯タンク２を備えた貯湯タンクユニット、３は貯湯タンク内の湯水を加熱する加熱手段としてのヒートポンプユニット、４は台所や洗面所等に設けられた第１給湯端末たる給湯栓、５は貯湯タンク２内の湯水と熱媒とを熱交換して融雪パネル６上の雪を融かす熱交換ユニットである。
【００１９】
前記貯湯タンクユニット１の貯湯タンク２は、上端に出湯管７と、下端に給水管８とが接続され、更に下部にヒーポン循環回路を構成するヒーポン往き管９と、上部にヒーポン循環回路を構成するヒーポン戻り管１０とか接続され、前記ヒートポンプユニット３によってヒーポン往き管９から取り出した貯湯タンク２内の湯水を沸き上げてヒーポン戻り管１０から貯湯タンク２内に戻して貯湯され、給水管８からの給水により貯湯タンク２内の湯水が押し上げられて貯湯タンク２内上部の高温水が出湯管７から押し出されて給湯されるものである。
【００２０】
前記ヒートポンプユニット３は、圧縮機１１と凝縮器としての冷媒−水熱交換器１２と電子膨張弁１３と強制空冷式の蒸発器１４、送風ファン１５で構成された加熱手段としてのヒートポンプ回路１６と、貯湯タンク２内の湯水を前記ヒーポン往き管９およびヒーポン戻り管１０を介して冷媒−水熱交換器１２に循環させるヒーポン循環ポンプ１７と、それらの駆動を制御するヒーポン制御部１８とを備えており、ヒートポンプ回路１６内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００２１】
ここで、前記冷媒−水熱交換器１２は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の冷媒−水熱交換器１２入口温度と冷媒の出口温度との温度差が一定になるように前記減圧器としての電子膨張弁１３または圧縮機１１を制御することで、被加熱水の冷媒−水熱交換器１２の入口温度が５〜２０℃程度の低い温度であるとＣＯＰ（エネルギー消費効率）が３．０以上のとても良い状態で被加熱水を加熱することが可能なものである。
【００２２】
更に熱交換ユニット５内には、貯湯タンク２内上部の高温水を取り出し湯−熱媒熱交換器１９を流通させて、温度低下した湯水を貯湯タンク２下部に戻す一次ポンプ２０を有する一次循環回路２１と、前記湯−熱媒熱交換器１９で高温水と熱交換し温度上昇した不凍液等の熱媒を、融雪或いは暖房パネルここでは融雪パネル６に循環させる回転数制御可能な二次ポンプ２２を有する二次循環回路２３とで構成され、前記二次循環回路２３の熱媒往き管２４には熱媒の往き温度を検知するサーミスタから成る往き温度センサ２５が備えられ、熱媒戻り管２６には膨張タンク２７と前記二次ポンプ２２とが備えられている。
【００２３】
次に、２８は貯湯タンクユニット１内で出湯管７からの湯水と給水管８から分岐されたバイパス管２９からの低温水を混合する電動ミキシング弁より構成された給湯混合弁であり、その下流の給湯管３０に設けた給湯温度センサ３１で検出した湯温が給湯リモコン（図示せず）でユーザーが設定した給湯設定温度になるように混合比率を制御するものであり、３２は貯湯タンク２の過圧を逃す過圧逃し弁、３３は給水の圧力を減圧する減圧弁、３４は給湯する湯水の量をカウントする給湯流量カウンタである。
【００２４】
３５は貯湯タンク２の上下方向に複数個配置された貯湯温度センサで、この貯湯温度センサ３５が検出する温度情報によって、貯湯タンク２内にどれだけの熱量が残っているかを検知し、そして貯湯タンク２内の上下方向の温度分布を検知するものである。
【００２５】
３６は給湯制御部で、給湯設定温度と給湯温度センサ３１の検出値とを比較して検出値が設定温度になるように給湯混合弁２８の混合比率を制御すると共に、ヒーポン制御部１８に信号を送り沸き上げ運転も開始させるものであり、更にこの給湯制御部３６には融雪運転を制御するポンプ制御回路３７が備えられ、該ポンプ制御回路３７には融雪パネル６近傍に備えられた降雪センサ３８、一次ポンプ２０及び二次ポンプ２２及び往き温度センサ２５が接続され、該往き温度センサ２５により検知される往き温度が所定温度ここでは１０℃〜２０℃になるように一次ポンプ２０の回転数を制御するものである。
【００２６】
次にこの一実施形態の作動を説明する。
先ず沸き上げ運転について説明すると、深夜電力時間帯になって貯湯温度センサ３５が貯湯タンク２内に翌日に必要な熱量が残っていないことを検出すると、給湯制御部３６はヒーポン制御部１８に対して沸き上げ開始指令を発する。指令を受けたヒーポン制御部１８は圧縮機１１を起動した後にヒーポン循環ポンプ１７を駆動開始し、貯湯タンク２下部に接続されたヒーポン往き管９から取り出した５〜２０℃程度の低温水を冷媒−水熱交換器１２で７０〜９０℃程度の高温に加熱し、貯湯タンク２上部に接続されたヒーポン戻り管１０から貯湯タンク２内に戻し、貯湯タンク２の上部から順次積層して高温水を貯湯していく。貯湯温度センサ３５が必要な熱量が貯湯されたことを検出すると、給湯制御部３６はヒーポン制御部１８に対して沸き上げ停止指令を発し、ヒーポン制御部１８は圧縮機１１を停止すると共にヒーポン循環ポンプ１７も停止して沸き上げ動作を終了するものである。
【００２７】
次に給湯運転について説明すると、給湯栓４を開くと、給水管８からの給水が貯湯タンク２内に流れ込む。そしてこの時の給水圧で上部の高温水が押し出されて出湯管７から給湯混合弁２８に流れ、ここで給水と混合されて設定温度となって給湯管３０を介して給湯栓４から適宜給湯されるものである。
【００２８】
次に融雪運転について説明すると、降雪センサ３８が降雪を検知し、貯湯タンク２内に所定の貯湯量があることを貯湯温度センサ３５で検知した時には、貯湯タンク２内の湯水による融雪運転を行うもので、ポンプ制御回路３７が一次ポンプ２０を駆動させて、貯湯タンク２内上部の高温水を湯−熱媒熱交換器１９に流し、二次循環回路２３の熱媒と熱交換し、温度上昇した熱媒を二次ポンプ２２の駆動で、融雪パネル６に流通させて該融雪パネル６上の雪を融かすもので、温度低下した熱媒は再び湯−熱媒熱交換器１９に循環して温度上昇され、又熱交換で温度降下した湯水は一次循環回路２０を通り貯湯タンク２内下部に戻され、順次この循環を繰り返して一定時間後に停止される。
【００２９】
そして、この融雪運転の制御は、図３のフローチャートに示すように、ステップ３９で二次循環回路２３の熱媒の往き温度を往き温度センサ２５で検知し、この温度が所定温度ここでは１０℃〜２０℃の範囲内であるかどうかを判断し、ＹＥＳではステップ４０で一次ポンプ２０の回転数を今のまま継続し、ＮＯの場合にはステップ４１に進み所定温度以上かを判断し、ＹＥＳでステップ４２で一次ポンプ２０の回転数を一段上げて熱交換効率を下げ、又ステップ４１でＮＯの場合には、ステップ４３に進み所定温度未満かを判断し、ＹＥＳでステップ４４に進んで一次ポンプ２０の回転数を一段下げて熱交換効率を上げるものであり、そしてこのステップを順次繰り返して熱媒の往き温度を所定温度に維持するものである。
【００３０】
これにより、限りある貯湯タンク２内の湯水の放熱を極力抑えながら、無駄がなく効率の良い熱交換で良好な融雪運転が行えるものであり、又融雪運転時に貯湯タンク２内の湯水が足りなくなれば、ヒートポンプユニット３による沸き上げ運転を行い、場合によっては、沸き上げ運転を行いながら融雪運転を行っても良いものである。
【００３１】
次に他の実施形態を示す図４〜図６を説明するが、この実施形態と同一部分については、同一符号を付し相違点のみ説明する。
４５は二次循環回路２３の熱媒戻り管２６に備えられた戻り温度センサで、融雪パネル６での放熱後の熱媒の戻り温度を検知し、この温度が所定温度の５℃〜１０℃と成るようにポンプ制御回路３７を介して二次ポンプ２２の回転数を制御するようにしたものである。
【００３２】
これを図６のフローチャートで説明すれば、ステップ４６で二次循環回路２３の熱媒の戻り温度を戻り温度センサ４５で検知し、この温度が所定温度ここでは５℃〜１０℃の範囲内であるかどうかを判断し、ＹＥＳではステップ４７で二次ポンプ２２の回転数を今のまま継続し、ＮＯの場合にはステップ４８に進み所定温度以上かを判断し、ＹＥＳでステップ４９で二次ポンプ２２の回転数を一段下げて融雪パネル６での放熱量を上げ、又ステップ４８でＮＯの場合には、ステップ５０に進み所定温度未満かを判断し、ＹＥＳでステップ５１に進んで二次ポンプ２２の回転数を一段上げて放熱量を下げるものであり、そしてこのステップを順次繰り返して熱媒の戻り温度を所定温度に維持するものである。
【００３３】
これにより、不必要な高温水の供給がなくなり、効率の良い融雪運転が行えると共に、貯湯タンクユニット１の熱を効率よく融雪に使用出来、極めて使用勝手が良く無駄のない運転が行えるものである。
【００３４】
更に他の実施形態を図７のフローチャートで説明すれば、ステップ５２でこの貯湯式給湯装置の電力契約が、安価な深夜電力或いは時間帯別電力契約である場合、ステップ５３で夜間の沸き上げ運転時間かを判断し、ＹＥＳでステップ５４に進みヒートポンプユニット３による沸き上げ運転を行い、次にステップ５５で降雪センサ３８による降雪検知で、ステップ５６に進んで融雪運転を行うもので、夜間の降雪時には沸き上げ運転しながら融雪運転を行うものであり、更にステップ５３でＮＯの時には、ステップ５７に進んで昼間かを判断し、ＹＥＳではステップ５８で沸き上げ運転を行わず、そしてステップ５９に進んで降雪センサ３８による降雪検知で、ステップ６０に進んで融雪運転を行うもので、昼間の降雪時には沸き上げ運転を行わずに、貯湯タンク２内の湯水を利用しての融雪運転のみを行うようにしたものである。
【００３５】
従って、電力料が安価な夜間はヒートポンプユニット３を駆動させながら融雪し、又電力料が高い昼間は貯湯タンク２内の湯水のみで融雪することで、極めて経済的な運転が出来と共に、安価な電力の有効利用がなされるものである。
【００３６】
次に他の実施形態を図８のフローチャートで説明すれば、ステップ６１でこの貯湯式給湯装置の電力契約が、予め定められた３ヶ月以上の期間に限り使用出来、極めて安価であるが一日の内午後４時〜午後９時の間は契約の２００Ｖ電源は使用できないと言う融雪電力契約である場合、ステップ６２で電力供給時間帯かを判断し、ＹＥＳでステップ６３に進みヒートポンプユニット３による沸き上げ運転を行い、次にステップ６４で降雪センサ３８による降雪検知で、ステップ６５に進んで２００Ｖ使用の融雪運転を行うもので、電力供給時間帯の降雪時には沸き上げ運転しながら２００Ｖ使用の融雪運転を行うものであり、更にステップ６２でＮＯの時には、ステップ６６に進んで電力非供給時間帯かを判断し、ＹＥＳではステップ６７で沸き上げ運転を行わず、そしてステップ６８に進んで降雪センサ３８による降雪検知で、ステップ６９に進んで１００Ｖ使用の融雪運転を行うもので、電力非供給時の降雪時には沸き上げ運転を行わずに、通常の１００Ｖ使用で貯湯タンク２内の湯水を利用しての融雪運転を行うようにしたものである。
【００３７】
従って、電力料が安価な融雪電力契約の電力供給時間帯は２００Ｖ電源でヒートポンプユニット３を駆動させながら融雪し、電力非供給時間帯は１００Ｖ電源で貯湯タンク２内の湯水のみで融雪することで、特別に用意されている融雪電力契約を積極的に利用して、効率が良く経済的な融雪運転が行えるものである。
【００３８】
尚、請求項１及び２では、加熱手段をヒートポンプユニット３として説明したが、これに限らず、例えば電気ヒーターでも良く同様な効果を得ることが出来るものである。
又この実施形態では、融雪に限定して説明したが、床暖房等の低温暖房でも利用出来る事は言うまでもない。
【００３９】
【発明の効果】
以上のように、この発明の請求項１及び２によれば、必要熱量以上の高温水の使用が制限され、無駄がなくなり効率の良い暖房或いは融雪を行うことが出来、加熱手段であるヒートポンプ回路の運転を極力抑えて、電力の消費が少なく経済的な暖房或いは融雪システムを提案出来るものである。
更に一次ポンプの回転数を直接制御することで、熱源側の高温水の流通量が少なく放熱ロスが極力抑えられて、熱源側の温度降下が更に抑えられるものである。
一方二次ポンプの回転数を直接制御することで、放熱側の管理が確実に行え、過不足のない放熱で、効率の良い暖房及び融雪が常に行えるものである。
【００４０】
又請求項３では、上部の高温水から給湯されて、貯湯タンク下部には給水管からの低温水が貯められることとなるので、必ず低温水から沸き上げることができ、沸き上げの効率が向上しヒートポンプ回路のＣＯＰ（エネルギー消費効率）が良くなるものであると共に、ヒートポンプ回路によって高効率に高温まで沸き上げることが出来る。
【００４１】
又請求項４では、電力料が安価な夜間はヒートポンプユニットを駆動させながら融雪し、又電力料が高い昼間は貯湯タンク内の湯水のみで融雪することで、極めて経済的な運転が出来と共に、安価な電力の有効利用がなされるものである。
【００４２】
又請求項５では、電力料が安価な融雪電力契約の電力供給時間帯は２００Ｖ電源でヒートポンプユニットを駆動させながら融雪し、電力非供給時間帯は１００Ｖ電源で貯湯タンク内の湯水のみで融雪することで、特別に用意されている融雪電力契約を積極的に利用して、効率が良く経済的な融雪運転が行えるものである。
【図面の簡単な説明】
【図１】この発明の一実施形態の概略構成図。
【図２】同電気回路の要部ブロック図。
【図３】同要部のフローチャート。
【図４】他の実施形態の概略構成図。
【図５】同電気回路の要部ブロック図。
【図６】同要部のフローチャート。
【図７】深夜電力或いは時間帯別電力契約の場合のフローチャート。
【図８】融雪電力契約の場合のフローチャート。
【図９】従来例を示す概略構成図。
【符号の説明】
２  貯湯タンク
３  ヒートポンプユニット（加熱手段）
６  融雪パネル
８  出湯管
９  給水管
１９  湯−熱媒熱交換器
２０  一次ポンプ
２１  一次循環回路
２２  二次ポンプ
２３  二次循環回路
２４  熱媒往き管
２５  往き温度センサ
２６  熱媒戻り管
３７  ポンプ制御回路
４５  戻り温度センサ
【図１】
2004340399.tif 000003
【図２】
2004340399.tif 000004
【図３】
2004340399.tif 000005
【図４】
2004340399.tif 000006
【図５】
2004340399.tif 000007
【図６】
2004340399.tif 000008
【図７】
2004340399.tif 000009
【図８】
2004340399.tif 000010
【図９】
2004340399.tif 000011